(57)【特許請求の範囲】
【請求項１】
戸４の縦框８ａ内に固定される縦長状の固定部材１２と、この固定部材の少なくとも室外側又は室内側のいずれかに取り付けられる入力手段２１，２１Ａと、この入力手段に偏心腕３９の一端部が連結され、かつ該入力手段の動力によって所定量回動する作動体３５と、この作動体と共働するように基端部が前記固定部材に設けた一つの取付け柱１９に軸支されていると共に下端部側に前記偏心腕が挿通する長孔４７を有するロック片４５と、施錠時、前記入力手段の動力によって作動体３５が所定量回動すると、前記ロック片の自由端部に受け止められる係合片５８を備え、かつ前記縦框８ａの内壁面と前記取付け柱１９の空間内に配設された垂直ロック棒９とから成る建具用の戸締り装置。
【請求項２】
請求項１に於いて、垂直ロック棒９は、固定部材１２の後端部側に突出状に設けた上下の取付け柱１９の切欠状の一側壁と縦框の内壁面の空間に配設されていることを特徴とする建具用の戸締り装置。
【請求項３】
請求項１に於いて、入力手段は回転式であって、室外側のシリンダ錠２１と、室内側のサムターン２１Ａの二種類であり、前記シリンダ錠２１のテールピースと前記サムターン２１Ａの軸部は作動体３５を介して連結されていることを特徴とする建具用の戸締り装置。
【請求項４】
請求項３に於いて、作動体３５は、テールピース２４と係合する円盤状先端部３６と、この円盤状先端部３６の背面に連設するバネ受け部３７と、このバネ受け部３７の背面に連設する円盤状軸部３８と、この円盤状軸部３８の背面の偏心部位から後方に延在する偏心腕３９とから成ることを特徴とする建具用の戸締り装置。
【発明の詳細な説明】
【技術分野】
【０００１】
本発明は、引戸、開き扉、中折り戸等の開閉体に取り付けられる建具用の戸締り装置に関し、特に、戸枠の下枠（床側）又は上枠（天井側）の受け具（係合凹所）に係脱するスライド式の垂直ロック棒を施・解錠する建具用の戸締り装置に関する。
【背景技術】
【０００２】
特許文献１の建具用のフランス落としの構造は、「基板に長孔を形成し、本体枠の上端と下端に設けた上片と下片を基板の裏面に取り付けると共に本体枠の上下複数箇所にロック孔を穿ち、本体枠の上片と下片に上下スライド移動自在なロッドを挿通し、操作具を長孔に挿入して前後スライド移動自在にロッドの操作具取付孔に貫通させ、操作具の先端を本体枠のロック孔に挿入自在にし、操作具の先部にバネを嵌合装着して操作具を本体枠側へ弾性付勢すると共にこのバネをロッドに弾接させて成る」。
【０００３】
上記フランス落としの構造は、バネの付勢力を基板側に作用させるので、垂直ロッドのガタつきを防止することができると共に、引手の凹所内に水平突出する操作具を手動で操作（水平方向へと手前に引く操作を）しない限り、侵入者は、外部からロッドを解錠方向へと持ち上げることができないという利点がある。
【０００４】
しかしながら、特許文献１に記載のフランス落としの構造は、横向凹所状の基板（引手）内に垂直ロッド用の水平操作具の操作端部（摘み部）が突出しているので、侵入者が針金等を利用して、前記水平操作具を操作する恐れがある。
【０００５】
そこで、現在、戸枠の下枠（床側）又は上枠（天井側）の受け具（係合凹所）に係脱するスライド式の垂直ロック棒を施・解錠する新規な建具用の戸締り装置の出現が要望されている。
【０００６】
なお、特許文献２にも「上げ落とし錠」が記載されている。しかし、この上げ落とし錠のロック機構は、垂直ロッド棒の上端部に設けられ、かつ基板の表面の咬合部に噛み合うブロックであり、前記ロック機構は、戸の縦框内に固定される縦長状の固定部材を構成要件とはしていない。
【特許文献１】実開平６−５８０８０号公報
【特許文献２】特開平９−１５８５８０号公報
【発明の開示】
【発明が解決しようとする課題】
【０００７】
本発明の所期の目的は、防犯性に優れていると共に、内部空間が比較的狭い戸の縦框に戸締り装置を内設してスライド式の垂直ロック棒を施・解錠することである。また、本発明の第２の目的は、戸の縦框の内部空間を有効的に活用することができるように、主たる部材（作動体とロック片）を固定部材に組み込むことである。さらに、本発明の第３の目的は、各部材を簡単に組み合わせることができることである。
【課題を解決するための手段】
【０００８】
本発明の建具用の戸締り装置は、戸４の縦框８ａ内に固定される縦長状の固定部材１２と、この固定部材の少なくとも室外側又は室内側のいずれかに取り付けられる入力手段２１，２１Ａと、この入力手段に偏心腕３９の一端部が連結され、かつ該入力手段の動力によって所定量回動する作動体３５と、この作動体と共働するように基端部が前記固定部材に設けた一つの取付け柱１９に軸支されていると共に下端部側に前記偏心腕が挿通する長孔４７を有するロック片４５と、施錠時、前記入力手段の動力によって作動体３５が所定量回動すると、前記ロック片の自由端部に受け止められる係合片５８を備え、かつ前記縦框８ａの内壁面と前記取付け柱１９の空間内に配設された垂直ロック棒９とから成ることを特徴とする。
【発明の効果】
【０００９】
（Ａ）内部空間が比較的狭い戸の縦框に戸締り装置を内設してスライド式の垂直ロック棒を施・解錠することができる。
（Ｂ）請求項２に記載の発明は、請求項１に記載の発明と同様に、戸の縦框の内部空間を有効的に活用することができる。
（Ｃ）主たる部材（作動体とロック片）の数が少ないので、各部材を簡単に組み合わせることができる。
（Ｄ）その他、引戸、開き扉、中折り戸等の態様の開閉体に適用することができる。
【発明を実施するための最良の形態】
【００１０】
以下、図１乃至図２１に示す本発明を実施するための最良の形態により説明する。
【００１１】
（１）発明の実施の環境
図１乃至図３は発明の実施の環境を示す各概略説明図である。図１は、引戸、開き扉、中折り戸等の開閉体（建具）に適用し、かつ室内側から見た概略説明図である。本実施例では、中折り戸の縦框に適用している。また、図２は天井側の水平ガイドレールを省略した平面視側から見た概略説明図で、左側の縦框に本発明の戸締り装置Ｘが設けられている。図３は、戸締り装置Ｘの解錠時において、中折り戸がヒンジ部材を介して折れ曲がっている状態を示す。
【００１２】
さて、図１乃至図３に於いて、１は戸枠、２は床、３は出入り口の上枠に配設され水平ガイドレール、４は吊り下げ部材５を介して前記水平ガイドレール３に折り曲げ可能に設けられた開閉体である。開閉体４は、例えばテラス用ドアとしての中折り戸であり、左側の戸４ａと右側の戸４ｂは複数個のヒンジ部材６を介して折り曲げ可能に連結されている。
【００１３】
ここで、一方の戸４ａについて簡単に説明すると、戸４ａは、普通一般に矩形状のガラス７と、このガラス７の外周縁部を取り囲む縦・横の框８とから成っており、前記框８の比較的幅が狭い縦框８ａの中に本発明の主要部を構成する戸締り装置Ｘの錠筐体が設けられている。
【００１４】
この戸締り装置Ｘは、縦框８ａの中に垂直状態に配設された上下スライド自在な垂直ロック棒９を備え、この垂直ロック棒９の一端部（例えば下端部）９ａが、床面２に設けた受け具１０に落ち込む（いわゆるフランス落し）。なお、前記垂直ロック棒９は、特許文献１に記載してあるように、その中央部に図示しない連結ピンを介して直交状態に連結された棒状等の操作具１１を有している。
【００１５】
（２）本発明の主要部―固定部材１２
戸４の縦框８ａに固定的に内設される固定部材１２は、本実施例では縦長状の錠筐体が用いられている。戸締り装置Ｘは、縦框８ａ内に配設した垂直ロック棒９が戸枠の下枠（床側）又は上枠（天井側）の受け具（係合凹所）に係合した場合に於いて、防犯上、前記垂直ロック棒９を施錠するために前記縦框８ａに内設される錠前の一種であるから、戸締り装置Ｘの固定部材１２は、垂直ロック棒９とは別個の部材である。
【００１６】
図７に固定部材（錠筐体）１２の一例を示す。固定部材１２は、その表面に縦框８ａの外壁面から若干突出する面座（フロント）１３を有している。フランジ状の面座１３は、図５、図７等で示すように縦長であり、縦框８ａの外壁面に縦方向に形成した不番の縦長開口縁部に係止される。
【００１７】
また、固定部材１２は、面座１３の裏面に縦長ブロック状の収納部１４を有している。この収納部１４は縦框８ａの縦長開口内に全て内装される。図５及び図７を参照にすると、縦長ブロック状収納部１４の略中央部には、シリンダ錠用の大径の嵌合孔１５が形成されている。この嵌合孔１５は、面座１３の不番の小径嵌合孔に連通しており、前者の大径嵌合孔１５にはシリンダ錠２１の外筒が、一方、後者の小径嵌合孔にはシリンダ錠の内筒が嵌合する。
【００１８】
しかして、収納部１４の後端部に相当する該上部壁側と下部壁側は前記大径嵌合孔１５の後端面よりも多少突出しており、これら上部側と下部側の後壁１４ａには、左右上下に所定間隔を有して合計４個の付勢手段２０用の縦支持溝１６が対向形成されている。また、前記後壁１４ａの縦支持溝１６付近には、上下に取付け小孔１７が形成されている。
【００１９】
さらに、収納部１４の上下の端部には、前記後壁１４ａよりも後方に段差状に突出する肉厚状の取付け部分１８が存在し、これら上下の取付け部分１８はそれぞれ不番のメネジを有している。加えて、上下の取付け部分１８の内側段差部には、さらに短杆状の取付け柱１９が水平方向に突出して設けられ、しかも、本実施例では、上方の取付け柱１９にはロック片用の支軸としての機能も付与されている。
【００２０】
なお、前記取付け部分１８の横幅は、前記後壁１４ａよりも幅は狭く、望ましくは、取付け部分１８の垂直の切欠状一側壁は、縦框内の垂直ロック棒の配設位置或いはスペースを考慮して、収納部１４の垂直の一側壁１４ｂよりも多少内側に位置するように設計すべきである（図６、図７参照）。そのように設計すると、縦框８ａの内部スペースを有効的に活用することができる。
【００２１】
（３）本発明の主要部―入力手段２１、２１Ａ
入力手段２１、２１Ａは、固定部材１２の少なくとも室外（先端部）側又は室内（後端部）側のいずれかに取り付けられる。本実施例では、固定部材１２の先端部側には、図１２で示すシリンダ錠２１が、一方、固定部材１２の後端部側には、図１３で示すサムターン２１Ａが直接又は間接的に装着される。
【００２２】
シリンダ錠２１は、普通一般のシリンダ錠２１と同じ構造であるから、詳細な説明は割愛する。図５、図７及び図１２を参照にすると、２２は外筒、２３は内筒、２４はテールピースである。前述したように、外筒２２は、固定部材１２の大径嵌合孔１５に嵌着し、また、内筒２３の先端部は外筒２２の前面から突出して固定部材１２の小径嵌合孔に嵌り合う。さらに、テールピース２４は外筒２３の背面から突出して作動体３５の円盤状先端部３６の中央係合溝３６ａに係合する。
【００２３】
一方、サムターン２１Ａは、固定部材１２の後端部に縦長状のサムターン座２５を介して回動自在に装着される。図１３にサムターン２１Ａの一例を示す。また、図１６にサムターン座の一例を示す。まず、サムターン座２５は、中央部にサムターン２１Ａ用の円形軸孔２６を有し、この円形軸孔２６を基準として、その上下端部には固着具２７用の貫通取付け孔２８がそれぞれ形成されている。サムターン座２５は、図５で示すように、固定部材１２の上下の取付け部分１８にそれぞれ螺合する前記固着具２７を介して縦框８ａの内壁面に面接触するように固定される。
【００２４】
次に、サムターン２１Ａは、普通一般のそれと同様であり、サムターン座２５の円形軸孔２６に挿通する軸部３０と、この軸部３０の外端部に直交して設けられた板状の摘み３１とから成り、前記軸部３０の偏心部位には、作動体３５の偏心腕３９の端部が嵌入する連結穴３２が形成されている。
【００２５】
（４）本発明の主要部―作動体３５
前述したように、入力手段は、本実施例では、固定部材１２の先端部側に設けられたシリンダ錠２１と、固定部材１２の後端部側に設けられたサムターン２１Ａの二種類である。そこで、本実施例の作動体３５は、図５で示すようにシリンダ錠２１のテールピース２４と前記サムターン２１Ａの間に介在し、テールピース２４又はサムターン２１Ａの軸部３０と共働するように一体的に連結されている。入力手段がシリンダ錠２１のテールピース２４又はサムターン２１Ａの軸部３０のいずれであれ、作動体３５は、その偏心腕の一端部が入力手段に直接又は間接的に連結され、かつ該入力手段の動力によって所定量回動する。
【００２６】
図８及び図９に作動体３５の一例を示す。作動体３５は、前面にテールピース２４用の中央係合溝３６ａを有する円盤状先端部３６と、この円盤状先端部３６の背面に連設する菱形形状のバネ受け部３７と、このバネ受け部３７の背面に連設する円盤状軸部３８と、この円盤状軸部３８の背面の偏心部位から後方に延在する偏心腕３９とから成り、前記偏心腕３９の後端部がサムターン２１Ａの偏心連結穴３２に嵌入する。
【００２７】
図１４は作動体３５の支持板或いは押さえ板の一例を示す。作動体３５用の押さえ板４１は、サムターン座２５と比較すると、それよりも小さな矩形状の長板であり、その中央部には、作動体３５の円盤状軸部３８が遊嵌合する軸孔４２を有している。また、この軸孔４２を基準として、その上下端部には固定部材１２の後壁１４ａの取付け小孔１７と符合する取付け小孔４３がそれぞれ形成されている。この押さえ板４１は、前記取付け小孔１７と螺合する第２の固着具４４を介して前記後壁１４ａに固定され、軸孔４２は作動体３５の円盤状軸部３８を支承する支持機能を有すると共に、その内面は菱形形状のバネ受け部３７の外面を面接触状態に支持している。
【００２８】
（５）本発明の主要部―ロック片４５
ロック片４５は、作動体３５と共働するように基端部が固定部材に設けた支軸１９に軸支されていると共に、下端部側に作動体３５の偏心腕３９が挿通する長孔を有している。図１０にロック片４５の一例を示す。ロック片４５は、固定部材の支軸の機能を有する上方の取付け柱１９に基端部の軸孔４６を介して支承されている。下端部側の長孔４７は、本実施例ではやや傾斜状である。
【００２９】
しかして、ロック片４５は、図５及び図１０で示すように、前後一対のロック片本体４５ａと、このロック片本体４５ａを一体的に連結する縦長の連結板４５ｂとから構成され、その下端が垂直ロック棒９の係合片５８の上端面と係脱可能である。
【００３０】
図１５にロック片４５用の抜け止め防止板４８の一例を示す。この抜け止め防止板４８は、上下端部に第３の固着具４９用の貫通小孔５０をそれぞれ有し、これらの貫通小孔５０及び前記固着具４９を介して固定部材１２の上下の取付け柱１９の端面に固定される。この抜け止め防止板４８も長板状に形成され、その中央部には、作動体３５の偏心腕３９を受け入れる半円形状の切欠５１を有している。
【００３１】
（６）垂直ロック棒
垂直ロック棒９については説明したが、図１１に垂直ロック棒９の一例を示す。垂直ロック棒９は、縦框８ａ内に垂直状態に配設され（図６参照）、上下方向にスライド自在である。付言すると、図６で示すように、垂直ロック棒９は、固定部材１２の後端部側に突出状に設けた上下の取付け柱１９の切欠状の一側壁と縦框の内壁面の空間に配設されている。
【００３２】
しかして、図１１で示すように、垂直ロック棒９の中央部（中央部寄りの部位も含む）には、単数又は複数個の連結ピン５７用の横孔５６が形成され、この横孔５６及び前記連結ピン５７を介して端面コ字形状の係合片５８が直交状態に固定される。
【００３３】
（７）解錠状態
図１７は垂直係合棒９が非係合状態であって、かつ戸締り装置Ｘも解錠状態であることを示す。すなわち、垂直係合棒９の下端部９ａは、床面２の受け具１０から離れている（非係合状態）。したがって、垂直係合棒９の係合片５８は、戸締り装置Ｘのロック片４５の下端面（係止面）よりも上方に位置している。また、前記ロック片４５は、自重により垂直状態になっていると共に、作動体４５の偏心腕３９は抜け止め防止片４８の切欠５１に入り込んでいる。
【００３４】
図１８は、図１７の解錠時における作動体３５の偏心腕３９の位置と付勢手段（板バネ）２０の状態を示す。解錠時、作動体３５の偏心腕３９は、固定部材の収納部１４の中心よりも斜め右下の所に位置していると共に、左右の板バネ２０は作動体３５のバネ受け部３７の角部に押圧されて外方向に膨らみ状に外拡変位している。したがって、例えば入力手段２１Ａを施錠方向へ多少回すと、左右の板バネ２０のバネ力が作用するので、ソフトなタッチで入力手段を回すことができる。
【００３５】
図１９は作動体３５が、例えば入力手段２１Ａに操作力により時計方向へと回転し、その偏心腕３９の位置が解錠位置から施錠位置へと変位した場合を示す。この場合ロック片４５は一つの取付け柱１９を支点にして時計方向へ所定量回転する。
【００３６】
（８）施錠状態
図２０及び図２１は、垂直係合棒９を落とした後（係合状態）、戸締り装置Ｘを施錠状態にした場合を示す。施錠時、入力手段２１，２１Ａのいずれか一方の動力によって作動体３５が所定量回動すると、ロック片４５は基端部の支軸１９を支点にして、かつ作動体３５の偏心腕３９と共働して施錠方向へと回転する。この時、作動体３５に付勢手段２０のバネ力が作用する。
【００３７】
その結果、図２０及び図２１で示すように、作動体３５の偏心腕３９が固定部材１２の略中心部に位置するので、ロック片４５の下端が垂直ロック棒９の係合片５８の端面（実施例では上面）へと位置する。したがって、垂直ロック棒９は、その係合片５８を介してロック片４５の下端面に受け止められる。
【実施例】
【００３８】
発明の実施の形態で示した実施例に於いて、開閉体は、テラス用ドアとしての中折り戸であるが、もちろん、引戸や開き扉であっても良い。また、入力手段は、シリンダ錠２１と、サムターン２１Ａの二種類であり、前記シリンダ錠２１のテールピースと前記サムターン２１Ａの軸部は作動体３５を介して連結されているが、いずれか一方であっても良い。望ましくは、後者のサムターン２１Ａは必ず装着する。
【産業上の利用可能性】
【００３９】
本発明は、主に錠前や建具の業界で利用される。
【図面の簡単な説明】
【００４０】
図１乃至図２１は本発明の最良の実施例を示す各説明図。
【図１】発明の実施の環境を示す概略説明図（室内側から見た概略説明図）。
【図２】発明の実施の環境を示す概略説明図（平面視側から見た概略説明図）。
【図３】発明の実施の環境を示す概略説明図（中折り戸がヒンジ部材を介して折れ曲がっている状態の概略説明図）。
【図４】入力手段２１Ａ側（室内側）から見た説明図。
【図５】戸締り装置の構造及び戸締り装置と垂直ロック棒（仮想線）の位置関係を一側面から見た説明図。
【図６】戸締り装置の構造及び戸締り装置と垂直ロック棒（仮想線）の位置関係を平面視側から見た説明図。
【図７】固定部材１２の説明図。
【図８】作動体３５の説明図。
【図９】作動体３５の説明図。
【図１０】ロック片４５の説明図。
【図１１】垂直ロック棒９の説明図。
【図１２】室外側の入力手段２１の説明図。
【図１３】室内側の入力手段２１Ａの説明図。
【図１４】押さえ板４１の説明図。
【図１５】抜け止め防止板４８の説明図。
【図１６】サムターン座２５の説明図。
【図１７】垂直係合棒９が非係合状態であって、かつ戸締り装置Ｘも解錠状態であることを示す説明図。
【図１８】解錠時における要部の説明図。
【図１９】主たる部材が解錠位置から施錠位置へと変位した説明図。
【図２０】垂直係合棒９が係合状態であって、かつ戸締り装置Ｘも施錠状態であることを示す説明図。
【図２１】施錠時における要部の説明図。
【符号の説明】
【００４１】
Ｘ…戸締り装置、８ａ…縦框、９…垂直ロック棒、１０…受け具、４…開閉体、１２…固定部材、１４…収納部、１５…嵌合孔、１８…取付け部分、１９…取付け柱、２１，２１Ａ…入力手段、２４…テールピース、３５…作動体、４５…ロック片、４７…長孔、３６…円盤状先端部、３７…バネ受け部、３８…円盤状軸部、３９…偏心腕。
【図１】
0005118934.tif 000002
【図２】
0005118934.tif 000003
【図３】
0005118934.tif 000004
【図４】
0005118934.tif 000005
【図５】
0005118934.tif 000006
【図６】
0005118934.tif 000007
【図７】
0005118934.tif 000008
【図８】
0005118934.tif 000009
【図９】
0005118934.tif 000010
【図１０】
0005118934.tif 000011
【図１１】
0005118934.tif 000012
【図１２】
0005118934.tif 000013
【図１３】
0005118934.tif 000014
【図１４】
0005118934.tif 000015
【図１５】
0005118934.tif 000016
【図１６】
0005118934.tif 000017
【図１７】
0005118934.tif 000018
【図１８】
0005118934.tif 000019
【図１９】
0005118934.tif 000020
【図２０】
0005118934.tif 000021
【図２１】
0005118934.tif 000022